(57)【要約】【課題】構成及び調整が簡単で、自動引込み機能が失われた場合でも、移動体を一方移動終端位置方向又は他方移動終端位置方向に移動させることにより簡単に自動引込み機能を復旧させることができる引込み装置。【解決手段】移動体側又は固定体側に取付けられた駆動部材１１、スライド部材１２、案内部材１３と、コイルバネ１４を具備し、案内部材１３は、案内部と該案内部の端部に大径部１３ｃを有する案内溝１３ａを具備し、移動体の移動終端位置方向の移動により、スライド部材１２の摺動ピン１２ｆは案内溝１３ａに沿って摺動し、大径部１３ｃで該引出し方向に回動して該案内溝１３ａに直交する方向の寸法が変化し大径部１３ｃにロックすると共に、該スライド部材１２と駆動部材１１の係合が解除され、移動体の一方移動終端位置方向の移動による自動引込み位置で駆動部材１１とスライド部材１２が係合すると共に、スライド部材１２のロックが解除される。【選択図】図２
2005034348.tif 000002
【特許請求の範囲】
【請求項１】
固定体と、該固定体に一方移動終端位置から他方移動終端位置まで移動自在に支持された移動体を具備し、該移動体が前記一方移動終端位置又は他方移動終端位置に向かって移動し該一方移動終端位置又は他方移動終端位置から所定距離離れた自動引込み位置に達したら自動的に該一方移動終端位置又は他方移動終端位置まで引込む引込み装置において、
前記移動体側又は固定体側に取付けた駆動部材と、該駆動部材に係合し摺動するスライド部材と、該スライド部材を案内する案内部材と、該スライド部材を前記一方移動側又は他方移動側に付勢する付勢部材を具備し、
前記案内部材は、前記移動体が前記一方移動終端位置から自動引込み位置又は前記他方移動終端位置から自動引込み位置の間を移動する間、前記スライド部材を前記移動体移動方向の所定の範囲で案内する案内部と該案内部の前記一方移動終端位置方向又は他方移動終端位置方向の端部にその幅寸法が該案内部の幅寸法より大きく形成された大径部を有する案内溝を具備し、
前記スライド部材は前記案内溝に貫挿し該案内溝を摺動する摺動ピンを具備し、
前記移動体の前記一方移動終端位置方向の移動又は他方移動終端位置方向の移動により、前記スライド部材の摺動ピンは前記案内溝に沿って摺動し、該案内溝端部で前記一方移動終端位置方向又は他方移動終端位置方向に回動して該案内溝に直交する方向の寸法が変化し前記大径部に嵌合し該スライド部材をロックすると共に、該スライド部材と前記駆動部材の係合が解除され、前記移動体の前記他方移動終端位置方向の移動又は一方移動終端位置方向の移動による前記自動引込み位置で前記駆動部材と前記スライド部材が係合すると共に、前記スライド部材のロックが解除されるように構成されていることを特徴とする引込み装置。
【請求項２】
請求項１に記載の引込み装置において、
前記スライド部材の摺動ピンは、前記案内溝の前記一方移動終端位置側端部又は他方移動終端位置側端部で前記一方移動終端位置方向又は他方移動終端位置方向に回動可能であり、
前記スライド部材が前記駆動部材との係合が解除された状態で前記案内溝の前記一方移動終端位置側端部又は他方移動終端位置側端部にある場合、前記移動体を前記一方移動終端位置方向又は他方移動終端位置方向に移動させることにより該スライド部材は前記駆動部材に押され前記摺動ピンを中心に前記一方移動終端位置方向又は他方移動終端位置方向に回動し、該スライド部材と該駆動部材の係合が回復するように構成されていることを特徴とする引込み装置。
【請求項３】
装置本体に対して引出し・引込み自在の引出し部を具備する引出し装置において、
前記請求項１又は２に記載の引込み装置を具備し、該引込み装置の固定体を装置本体とするか又は装置本体側に取り付けると共に、該移動体を引出し部とするか又は引出し部側に取り付け、更に前記案内部材を前記装置本体側又は引出し部側に取り付けたことを特徴とする引出し装置。
【請求項４】
装置本体と、該装置本体に引出し・引込み自在に支持された引き戸を具備する引き戸装置において、
前記請求項１又は２に記載の引込み装置を具備し、該引込み装置の固定体を装置本体とするか又は該装置本体側に取り付けると共に、該移動体を引き戸とするか又は引き戸側に取り付けたことを特徴とする引き戸装置。
【発明の詳細な説明】
【技術分野】
【０００１】
本発明は引出し装置や引き戸装置等のように、固定体と、該固定体に所定の移動範囲で移動自在に支持された移動体を具備し、該移動体が一方移動終端位置又は他方移動終端位置から他方移動終端位置方向又は一方移動終端位置方向に移動し、該他方移動終端位置又は一方移動終端位置から所定距離離れた自動引込み位置に達したら自動的に他方移動終端位置又は一方移動終端位置まで引込む引込み装置に関するものである。
【背景技術】
【０００２】
従来、この種の引込み装置としては、特許文献１に開示された引出し用閉止装置がある。該引出し用閉止装置は、該引出しに固着される支持レール、及び該支持レール又はそれらの間に取り付けられる複数の負荷伝達レール等からなる引出し用閉止装置であって、図１（ａ）、（ｂ）に示すように、家具本体に取り付けられ且つ引出しに取り付けられたバネ１０１及び駆動ピン１０２によって作用される傾斜部分１０３からなり、該傾斜部分１０３が溝等によって形成され前方の弓形部分１０４と、該弓形部分１０４に隣接する真っ直ぐな部分１０５からなる案内トラック１０６に沿って案内され、傾斜部分１０３が自己施錠方法において弓形部分１０４に保持されるように構成されたものである。なお、１０７、１０７は傾斜部分１０３に固定され、真っ直ぐな部分１０５及び弓形部分１０４に沿って摺動するボルトである。
【０００３】
上記特許文献１に開示された引出し用閉止装置は、傾斜部分１０３は案内トラック１０６の前方弓形部分１０４に自己施錠される構成となっているため、この自己施錠状態が解除され易く、意図せず傾斜部分１０３がバネ１０１によって引込まれてしまうおそれがあり、特別に復旧機構を設ける必要があった。そのため装置構成が複雑で、且つコスト高になるという問題があった。また、自己施錠を奏させるためには、バネ１０１の端部の傾斜部分１０３への取り付け位置も重要となり（取り付け位置によっては自己施錠が不可能になったり、自己施錠が解除し易くなる）そのため調整が複雑となるという問題がある。
【特許文献１】特公平５−２３７６３号公報
【発明の開示】
【発明が解決しようとする課題】
【０００４】
上記のように従来の引出し用閉止装置は自己施錠状態が意図せずに解除されたり、復旧機構を設けると装置構成が複雑で、コスト高で、且つ調整が複雑になるという問題があった。本発明はこれらの問題点を解決し、構成及び調整が簡単で、自動引込み機能が失われた場合でも、移動体を一方移動終端位置方向又は他方移動終端位置方向に移動させることにより簡単に自動引込み機能を復旧させることができ、且つコストの安価な引込み装置、該引込み装置を用いた引出し装置及び引き戸装置を提供することを目的とする。
【課題を解決するための手段】
【０００５】
上記課題を解決するため請求項１に記載の発明は、固定体と、該固定体に一方移動終端位置から他方移動終端位置まで移動自在に支持された移動体を具備し、該移動体が前記一方移動終端位置又は他方移動終端位置に向かって移動し該一方移動終端位置又は他方移動終端位置から所定距離離れた自動引込み位置に達したら自動的に該一方移動終端位置又は他方移動終端位置まで引込む引込み装置において、前記移動体側又は固定体側に取付けた駆動部材と、該駆動部材に係合し摺動するスライド部材と、該スライド部材を案内する案内部材と、該スライド部材を前記一方移動側又は他方移動側に付勢する付勢部材を具備し、前記案内部材は、前記移動体が前記一方移動終端位置から自動引込み位置又は前記他方移動終端位置から自動引込み位置の間を移動する間、前記スライド部材を前記移動体移動方向の所定の範囲で案内する案内部と該案内部の前記一方移動終端位置方向又は他方移動終端位置方向の端部にその幅寸法が該案内部の幅寸法より大きく形成された大径部を有する案内溝を具備し、前記スライド部材は前記案内溝に貫挿し該案内溝を摺動する摺動ピンを具備し、前記移動体の前記一方移動終端位置方向の移動又は他方移動終端位置方向の移動により、前記スライド部材の摺動ピンは前記案内溝に沿って摺動し、該案内溝端部で前記一方移動終端位置方向又は他方移動終端位置方向に回動して該案内溝に直交する方向の寸法が変化し前記大径部に嵌合し該スライド部材をロックすると共に、該スライド部材と前記駆動部材の係合が解除され、前記移動体の前記他方移動終端位置方向の移動又は一方移動終端位置方向の移動による前記自動引込み位置で前記駆動部材と前記スライド部材が係合すると共に、前記スライド部材のロックが解除されるように構成されていることを特徴とする。
【０００６】
請求項２に記載の発明は、請求項１に記載の引込み装置において、前記スライド部材の摺動ピンは、前記案内溝の前記一方移動終端位置側端部又は他方移動終端位置側端部で前記一方移動終端位置方向又は他方移動終端位置方向に回動可能であり、前記スライド部材が前記駆動部材との係合が解除された状態で前記案内溝の前記一方移動終端位置側端部又は他方移動終端位置側端部にある場合、前記移動体を前記一方移動終端位置方向又は他方移動終端位置方向に移動させることにより該スライド部材は前記駆動部材に押され前記摺動ピンを中心に前記一方移動終端位置方向又は他方移動終端位置方向に回動し、該スライド部材と該駆動部材の係合が回復するように構成されていることを特徴とする。
【０００７】
請求項３に記載の発明は、装置本体に対して引出し・引込み自在の引出し部を具備する引出し装置において、請求項１又は２に記載の引込み装置を具備し、該引込み装置の固定体を装置本体とするか又は装置本体側に取り付けると共に、該移動体を引出し部とするか又は引出し部側に取り付け、更に前記案内部材を前記装置本体側又は引出し部側に取り付けたことを特徴とする。
【０００８】
請求項４に記載の発明は、装置本体と、該装置本体に引出し・引込み自在に支持された引き戸を具備する引き戸装置において、請求項１又は２に記載の引込み装置を具備し、該引込み装置の固定体を装置本体とするか又は該装置本体側に取り付けると共に、該移動体を引き戸とするか引き戸側に取り付けたことを特徴とする。
【発明の効果】
【０００９】
各請求項に記載の発明によれば下記のような優れた効果が得られる。
【００１０】
請求項１に記載の発明によれば、移動体の一方移動終端位置方向又は他方移動終端位置方向の移動により、スライド部材が案内溝の一方移動終端位置方向端部又は他方移動終端位置方向端部でその摺動ピンの案内溝に直交する方向の寸法が変化し大径部に嵌合しスライド部材をロックすると共に、スライド部材と駆動部材の係合が解除される構成となっているので、スライド部材が意図せずに一方移動終端位置方向又は他方移動終端位置方向に引込まれ、自動引込み機能が失われることがない引込み装置を提供できる。また、付勢部材で一方移動終端位置方向又は他方移動終端位置方向に付勢されているスライド部材は案内部材の案内溝を移動体の移動方向のみに摺動するから、付勢部材の上下方向又は横方向の振れがないので装置をコンパクトに構成できる。また、このためスライドレールのような幅の狭い案内装置に組み付けるのに好適である。
【００１１】
請求項２に記載の発明によれば、スライド部材が駆動部材との係合が解除された状態で案内溝の一方移動終端位置側端部又は他方移動終端位置側端部にある場合、移動体を一方移動終端位置方向又は他方移動終端位置方向に移動させることにより、該スライド部材は駆動部材に押され摺動ピンを中心に回動し、該スライド部材と該駆動部材の係合が回復するように構成されているので、移動体が一方移動終端位置又は他方移動終端位置にあるとき、何らかの原因によりスライド部材のロックが解除され、スライド部材が付勢部材により案内部材の案内溝の一方移動終端位置側端部又は他方移動終端位置側端部まで引込まれ、引込み機能が失われても、移動体を一方移動終端位置方向又は他方移動終端位置方向に移動させるだけで、引込み機能を回復させることができる引込み装置を提供できる。
【００１２】
請求項３に記載の発明によれば、引出し装置に請求項１又は２に記載のスライドレールの引込み装置を設けるので、引出し部を自動引込み位置にまで引込んだ（押込んだ）場合、引出し部が自動的に引込み終端位置まで引込まれる動作が安定して行われる引出し装置を提供できる。
【００１３】
請求項４に記載の発明によれば、引き戸装置に請求項１又は２に記載の引込み装置を設けるので、引き戸が閉止方向又は開放方向の所定位置まで移動されたとき、自動的に一方移動終端位置又は他方移動終端位置、即ち閉止終端位置又は開放終端位置まで自動的に引込まれる動作が安定して行われる引き戸装置を提供できる。
【発明を実施するための最良の形態】
【００１４】
以下、本発明の実施の形態例を図面に基づいて説明する。図２は本発明に係る引込み装置の構成例を示す図で、図２（ａ）は平面図、図２（ｂ）は正面図である。図３は引込み装置の案内部材の構成を示す図で、図３（ａ）は平面図、図３（ｂ）は正面図である。図４は引込み装置のスライド部材の構成を示す図で、図４（ａ）は平面図、図４（ｂ）は正面図である。図２に示すように、引込み装置１０は図示しない移動体と連動して移動する駆動部材１１と、該駆動部材１１に係合するスライド部材１２と、該スライド部材１２を案内する案内部材１３と、該スライド部材１２を一方移動終端位置方向（矢印Ｂ）に付勢する付勢部材としてのコイルバネ１４を具備する。なお、上記移動体は固定レール１５（図２（ａ）参照）に、一方移動終端位置と他方移動終端位置の間でスライドレールやローラー等により移動自在に支持されている。
【００１５】
スライド部材１２は図４に示すように、板状体で、一方の端部に駆動部材１１が係合する係合溝部１２ａが形成され、該係合溝部１２ａを挟んで一方移動終端位置側（矢印Ｂ側）には所定高さ寸法の突起部１２ｂが設けられ、他方移動終端位置側（矢印Ａ側）には該突起部１２ｂより所定量高さ寸法が小さい突起部１２ｃが設けられている。また、スライド部材１２の他端には先端に円板状の鍔１２ｄを有するピン１２ｅが設けられ、その中央部には摺動ピン１２ｆが設けられている。摺動ピン１２ｆは径ｄ１の円柱の外周に平坦切り欠き面１２ｆ−１を形成すると共に、該平坦切り欠き面１２ｆ−１の側部にも所定角度で平坦切り欠き面１２ｆ−２を形成した断面が一部切欠円形状である。
【００１６】
案内部材１３は、図３に示すように移動体（図示せず）が一方移動終端位置と該一方移動終端位置から所定距離離れた自動引込み位置の間を移動する間、スライド部材１２を移動体移動方向（矢印Ａ、Ｂ方向）の所定の範囲Ｌ内で案内する案内溝１３ａを具備する。該案内溝１３ａは長手方向に直交する幅寸法がｄ２で、一方移動終端位置方向端部の上半分が摺動ピン１２ｆの径ｄ１と等しい径の円弧１３ａ−１に形成され、他方移動終端位置方向端部がその径が摺動ピン１２ｆの径ｄ１と等しい円弧１３ａ−２に形成され大径部１３ｃとなっている。ここで摺動ピン１２ｆの径ｄ１は該案内溝１３ａの幅寸法ｄ２より大きく（ｄ１＞ｄ２）なっている。案内部材１３の案内溝１３ａの上部１３ｂはスライド部材１２のピン１２ｅと摺動ピン１２ｆの間に位置するようになっている。また、スライド部材１２の摺動ピン１２ｆは案内溝１３ａに貫挿され、該案内溝１３ａに沿って一方移動終端位置方向・他方移動終端位置方向に摺動するようになっている。
【００１７】
また、案内部材１３の裏面にはスライド部材収納用の凹部１３ｄが形成され、この凹部１３ｄを固定レール１５の取付け面１５ａに対向させて取付けることにより、図２（ａ）に示すように、固定レール１５の取付け面１５ａと案内部材１３の間にスライド部材１２を収容する空間が形成される。また、案内部材１３の上面には付勢部材であるコイルバネ１４が配置されるための凹部１３ｅが形成されている。コイルバネ１４の一端は案内部材１３の一方移動終端位置方向端部に取付けられ、他端はスライド部材のピン１２ｅに取付けられる。これにより、スライド部材１２は該コイルバネ１４の弾性力により一方移動終端位置方向に付勢されている。
【００１８】
上記構成の引込み装置の動作を図５に基づいて説明する。図５は他方移動終端位置方向の動作を示す図である。なお、図５においてはコイルバネ１４を省略すると共に、案内部材１３の両端部は省略している。図５（ａ）に示すように、スライド部材１２が案内部材１３の引込み方向端部にある場合は、図６（ａ）に示すようにスライド部材１２の平坦切り欠き面１２ｆ−２が案内溝１３ａの下面に接し、円弧外周面は案内溝１３ａの上面及び端部円弧１３ａ−１の面に接している。なお、スライド部材１２の平坦切り欠き面１２ｆ−２から該面に直交して外周円弧の最高点までの寸法ｄ３は案内溝１３ａの幅寸法ｄ２より若干小さくなっている（摺動ピン１２ｆが案内溝１３ａをスムーズに移動できるようにするため）。図５（ａ）の状態から図５（ｂ）に示すように、移動体（図示せず）を他方移動終端位置方向（矢印Ａ方向）に移動させると駆動部材１１も同方向に移動し、スライド部材１２はその摺動ピン１２ｆが図６（ａ）に示す状態（姿勢）で、案内溝１３ａに沿って移動する。
【００１９】
そして摺動ピン１２ｆが図５（ｃ）に示すように、案内溝１３ａの他方移動終端位置側端部に達する。この状態で、駆動部材１１が更に他方移動終端位置方向に移動すると、図５（ｄ）、（ｅ）に示すようにスライド部材１２が駆動部材１１に引かれ摺動ピン１２ｆは案内溝１３ａの大径部１３ｃで回動する。この動作の詳細を図６（ｂ）、（ｃ）に示す。上記のように摺動ピン１２ｆの径ｄ１は案内溝１３ａの幅寸法ｄ２より大きく（ｄ１＞ｄ２）なっているから、摺動ピン１２ｆ、即ちスライド部材１２は案内溝１３ａの他方移動終端位置側端部の大径部１３ｃにロックされる。このとき、スライド部材１２の突起部１２ｃは駆動部材１１の位置より上方に位置するから、スライド部材１２と駆動部材１１の係合が解除される。
【００２０】
次に引込み装置の一方移動終端位置方向の動作を図７に基づいて説明する。移動体（図示せず）を一方移動終端位置方向（矢印Ｂ方向）に移動させると図７（ａ）に示すように駆動部材１１も同方向に移動する。そして図７（ｂ）に示すように、駆動部材１１がスライド部材１２の突起部１２ｃの位置を通過し、突起部１２ｂに当接し、駆動部材１１が更に移動すると図７（ｃ）に示すようにスライド部材１２は摺動ピン１２ｆを中心に回動する。そして摺動ピン１２ｆの平坦切り欠き面１２ｆ−２が案内部材１３の案内溝１３ａの下面と一致（図６（ｂ）参照）すると、スライド部材１２のロックは解除されると共に、駆動部材１１とスライド部材１２の係合溝部１２ａに入り込み、駆動部材１１とスライド部材１２が係合する。これにより、スライド部材１２は図７（ｄ）に示すように、コイルバネ１４の弾性力により一方移動終端位置方向に引込まれるので、駆動部材１１及び移動レールも同様に引込まれ、図７（ｅ）に示すように、案内溝１３ａの一方移動終端位置側端部まで引込まれる。
【００２１】
次に図５（ｅ）のスライド部材１２が、ロック状態から何等かの原因で移動体の一方移動終端位置方向への移動とは関係なくロックが解除され、図８（ａ）に示すように、案内溝１３ａの一方移動終端位置側端部まで引込れた場合のスライド部材１２と駆動部材１１の係合を復旧させる動作を説明する。この場合、図８（ｂ）に示すように、移動体を一方移動終端位置方向に移動させて駆動部材１１を同方向に移動させることにより、スライド部材１２の突起部１２ｃが駆動部材１１に押され、該スライド部材１２は摺動ピン１２ｆを中心に回動する。そして駆動部材１１が突起部１２ｃの位置を通過すると、スライド部材１２は反対方向に回動し、図８（ｃ）に示すように、駆動部材１１はスライド部材１２の係合溝部１２ａ内に位置する。これにより、駆動部材１１とスライド部材１２の係合は復旧する。
【００２２】
これはスライド部材１２の摺動ピン１２ｆの外周面に平坦切欠き面１２ｆ−１と平坦切欠き面１２ｆ−２を設け、案内溝１３ａの一方移動終端位置方向端部で平坦切欠き面１２ｆ−２が案内溝１３ａの下面に接している図８（ａ）の状態から、図８（ｂ）に示すように、平坦切欠き面１２ｆ−１が案内溝１３ａの下面に接するように回動できるようにしたからである。
【００２３】
なお、上記例では図示しない、移動体が固定体に対して図５及び図７に示すように、一方移動終端位置から他方移動終端位置に向かって移動（矢印Ａ方向へ移動）した場合、案内溝１３ａの他方移動終端位置側端部でスライド部材１２がロックされ、スライド部材１２と駆動部材１１の係合が解除され、移動体の一方移動終端位置方向の移動（矢印Ｂ方向の移動）で該一方移動終端位置から所定距離離れた自動引き込み位置でスライド部材１２のロックが解除され、スライド部材１２と駆動部材１１が係合するように構成した例を示したが、図示は省略するが、これとは逆に、他方移動終端位置から一方移動終端位置に移動（矢印Ｂ方向の移動）した場合に、案内溝１３ａの一方移動終端位置側端部でスライド部材１２がロックされ、スライド部材１２と駆動部材１１の係合が解除され、移動体の他方移動終端位置方向の移動（矢印Ａ方向の移動）で該他方移動終端位置から所定距離離れた自動引き込み位置でスライド部材１２のロックが解除され、スライド部材１２と駆動部材１１が係合するように構成してもよい。この場合は、案内溝１３ａの一方移動終端位置側端部に大径部１３ｃを設け、コイルバネ１４でスライド部材１２を他方移動終端位置方向に付勢する。
【００２４】
図９は図２に示す構成の引込み装置をスライドレールに設けてスライドレールの引込み装置とした構成例を示す図で、図９（ａ）は一部の側面図、図９（ｂ）は図９（ａ）のＣ−Ｃ断面図である。図示するように、スライドレール２０は内側レール２１と外側レール２２を具備する構成である。内側レール２１を固定レールとしても良いし移動レールとしてもよい。又外側レール２２を移動レールとしても良いし固定レールとしてもよい。ここでは説明の便宜上、外側レール２２を移動レール、内側レール２１を固定レールとしている。移動レールとなる外側レール２２は固定レールとなる内側レール２１に引出し・引込み自在に支持されている。即ち、断面略Ｃ字状の内側レール２１はその開口部が外側レール２２の開口部に対向するように収容され、外側レール２２の内周面と内側レール２１の外周面の間にリテーナ２３に保持された多数のボール２４が介在し、外側レール２２は内側レール２１に長手方向（引出し・引込み方向）に摺動自在に支持されている。
【００２５】
固定レールとなる断面略Ｃ字状の内側レール２１の開口部に引込み装置１０の案内部材１３が固定され、引込み装置１０の駆動部材１１は移動レールとなる断面略Ｃ字状の外側レール２２の開口面に内側レール２１側に突出して設けられている。図９（ａ）は移動レールである外側レール２２を引出し方向（図２の矢印Ａ方向）に引出した状態を示す。この状態は、引込み装置１０のスライド部材１２は図７（ａ）に示すように、その摺動ピン１２ｆが案内部材１３の案内溝１３ａの大径部１３ｃにロックされた状態にある。なお、図示は省略するが、駆動部材１１を内側レール２１に設け、案内部材１３を外側レール２２に取付けてもよい。
【００２６】
上記状態から、移動レールとなる外側レール２２を引込み方向（矢印Ｂ方向）に押込むと、駆動部材１１も引込み方向に移動し、図７（ａ）の状態を経て、図７（ｂ）に達すると、スライド部材１２は駆動部材１１に押され、摺動ピン１２ｆを中心に回動し図７（ｃ）に示す位置でスライド部材１２のロックが解除される。これによりスライド部材１２のコイルバネ１４の弾性力で引込み方向に引かれ、図７（ｄ）に示す状態を経て、図７（ｅ）に示すように引込み終端まで自動的に引込まれる。
【００２７】
なお、図示は省略するが、上記引込み装置１０を取り付けたスライドレール２０を取り付けた構成のスライドレールの引込み装置を、家具等の引出し装置に引込み装置として使用する場合、固定レールである内側レール２１を装置本体側に取り付けると共に、該移動レールである外側レール２２を引出し部側に取り付け、更に案内部材１３を装置本体側に取り付ける。これにより、引出し部を引出した状態から所定の自動引込み位置まで押込んだ場合、引出し部は引込み終端まで引込まれることになる。
【００２８】
また、図示は省略するが、上記引込み装置１０を取り付けたスライドレール２０を取り付けた構成のスライドレールの引込み装置を、建物の壁等の装置本体に対して引出し・引込み自在に取り付けた引き戸を具備する引き戸装置に使用する場合、固定レールである内側レール２１を固定側に取り付けると共に、該移動レールである外側レール２２を引き戸側に取り付け、更に案内部材１３を固定側に取り付ける。
【００２９】
上記のように引き戸装置にスライドレールの引込み装置を設けることにより、引き戸が所定の閉止又は開放位置まで引込まれたとき、自動的に引込み終端、即ち閉止終端又は開放終端まで引込まれる動作が安定して行われ、引き戸が半閉じ状態及び半開き状態で放置されることを防止できる。
【００３０】
なお、本発明に係る引込み装置の適用は、上記のようにスライドレールの固定レールに固定体を、移動レールに移動体を取付けた装置に限定されるものではなく、例えば固定体に一方移動終端位置から他方移動終端位置までローラ等で移動体に支持された装置等において、移動体が、該一方移動終端位置又は他方移動終端位置に向かって移動し、該一方移動終端位置又は他方移動終端位置から所定距離離れた所定の自動引き込み位置に達したら自動的に該一方移動終端位置又は他方移動終端位置まで引込む引込み装置としてに広く利用できる。
【００３１】
以上本発明の実施形態を説明したが、本発明は上記実施形態に限定されるものではなく、特許請求の範囲、及び明細書と図面に記載された技術的思想の範囲内において種々の変形が可能である。なお、直接明細書及び図面に記載がない何れの形状や構造や材質であっても、本願発明の作用・効果を奏する以上、本願発明の技術的思想の範囲内である。
【図面の簡単な説明】
【００３２】
【図１】従来の引出し用閉止装置の構成を示す図である。
【図２】本発明に係る引込み装置の構成例を示す図である。
【図３】本発明に係る引込み装置の案内部材の構成例を示す図である。
【図４】本発明に係る引込み装置のスライド部材の構成例を示す図である。
【図５】本発明に係る引込み装置の引出し動作を示す図である。
【図６】本発明に係る引込み装置のスライド部材の動作を示す図である。
【図７】本発明に係る引込み装置の引込み動作を示す図である。
【図８】本発明に係る引込み装置の引込み機能の復旧動作を示す図である。
【図９】本発明に係るスライドレールの引込み装置の構成例を示す図である。
【符号の説明】
【００３３】
１０      引込み装置
１１            駆動部材
１２            スライド部材
１３            案内部材
１４            コイルバネ
１５            固定レール
２０            スライドレール
２１            内側レール
２２            外側レール
２３            リテーナ
２４            ボール
【図１】
2005034348.tif 000003
【図２】
2005034348.tif 000004
【図３】
2005034348.tif 000005
【図４】
2005034348.tif 000006
【図５】
2005034348.tif 000007
【図６】
2005034348.tif 000008
【図７】
2005034348.tif 000009
【図８】
2005034348.tif 000010
【図９】
2005034348.tif 000011